(57)【特許請求の範囲】
【請求項１】
筆記芯を把持して軸筒前方へ繰出す筆記芯繰出し機構と、遠心方向からの押圧力により求心方向へ移動するように軸筒の周壁に設けられた押圧部と、軸筒内に回転可能且つ前後移動可能に設けられた回転子とを備え、
前記筆記芯繰出し機構を前記回転子と連動して回転するように前記回転子の内部に設け、
把持した筆記芯が前方から押されることで前記筆記芯繰出し機構が後退した際に、その後退する筆記芯繰出し機構を前記回転子に係合させて前記回転子を後方へ移動するとともにその回転子を軸筒と一体的な固定カム部に係合して回転し、
前記押圧部が前記求心方向へ移動した際にも、その移動する押圧部を前記回転子に係合させて前記回転子を後方へ移動するとともにその回転子を軸筒と一体的な固定カム部に係合して回転するようにしたことを特徴とするシャープペンシル。
【請求項２】
筆記芯を把持して軸筒前方へ繰出す筆記芯繰出し機構と、
遠心方向からの押圧力により求心方向へ移動するように軸筒の周壁に設けられた押圧部と、
軸筒内に回転可能且つ前後移動可能に設けられた回転子であって、内部に該回転子の回転に連動して回転するように前記筆記芯繰出し機構を有するとともに、外部に回転カム部を有し、付勢部材によって前方へ付勢された回転子と、
前方又は後方へ移動した際の前記回転子における前記回転カム部に係合して前記回転子を回転させるように軸筒内に固定された固定カム部とを備え、
前記回転子は、前記求心方向へ移動した際の前記押圧部に係合されて後方へ移動するように設けられ、且つ、把持した筆記芯が前方から押されることで後退した際の筆記芯繰出し機構に係合されて後方へ移動するように設けられることを特徴とするシャープペンシル。
【請求項３】
前記回転子に、前記回転カム部として、第１の回転カム部と、第２の回転カム部を設け、
前記軸筒内には、前記固定カム部として、後方へ移動した際の前記回転子における第１の回転カム部に係合して前記回転子を一方向へ回転させる第１の固定カム部と、前方へ移動した際の前記回転子の第２の回転カム部に係合して前記回転子を前記一方向へ回転させる第２の固定カム部とを備えたことを特徴とする請求項２記載のシャープペンシル。
【請求項４】
前記筆記芯繰出し機構は、前記回転子の内部で進退するように設けられた芯タンクと、該芯タンクを前記回転子に対し後方へ付勢する付勢部材と、該芯タンクの前端側に接続されるとともに筆記芯を把持可能なチャックと、該芯タンクの後端側に設けられたノック部とを備え、前記ノック部に対するノック操作により前記芯タンク及び前記チャックを前記回転子に対し進退させて筆記芯を繰出す機構であることを特徴とする請求項１乃至３何れか１項記載のシャープペンシル。
【請求項５】
前記押圧部を外側から覆うようにして弾性被覆部を設けたことを特徴とする請求項１乃至４何れか１項記載のシャープペンシル。
【発明の詳細な説明】
【技術分野】
【０００１】
本発明は、筆記芯を回転させるようにしたシャープペンシルに関するものである。
【背景技術】
【０００２】
シャープペンシルで筆記を行う場合、書き進むにしたがって筆記芯の前端部が偏減りし、描線の太さや濃さが一定しないという不具合があった。そのため、筆記者が軸筒をときどき持ち直して回転させるという操作を行うが、その操作が煩わしく、筆記能率を低下させていた。そこで、例えば、特許文献１に記載されたシャープペンシルでは、筆記時に筆記芯に加わる筆圧の軸方向成分によって軸筒内の回転子を回転させ、該回転子内のチャックユニットに把持されている筆記芯を回転させるようにしている。
【０００３】
しかしながら、特許文献１に示す従来技術によれば、筆圧が比較的強い場合には、ある程度無意識に筆記芯を回転させることができるが、長時間の筆記で手が疲れていたり手の筋力が元々弱かったり等に起因して、筆圧が比較的弱い場合には、筆記芯及び回転子等が後退せず、これにより筆記芯が回転せず、偏減りによって描線が太くなってしまうおそれがある。
そこで、軸筒内部のバネの弾発力の設定等により、ある程度弱い筆圧であっても、筆記芯及び回転子等を後退し回転させるようにすることが可能であるが、前記弾発力が弱すぎると、後退した回転子等が摩擦等に起因して元の位置に復帰し難くなるという問題を生じるので、このようなバネの設定にも限界がある。
また、前記のように筆圧が弱い場合、筆記芯を回転させるために意識して積極的に軸筒を前方へ押さなければならないが、その操作には違和感がある。
【先行技術文献】
【特許文献】
【０００４】
【特許文献１】国際公開第２００７／１４２１３５号公報
【発明の概要】
【発明が解決しようとする課題】
【０００５】
本発明は、このような問題に対処することを課題の一例とするものである。すなわち、筆記芯を回転させて筆記芯の偏減りを防ぐようにしたシャープペンシルにおいて、容易に筆記芯を回転させることができること、筆記芯を回転させる際の操作感を良好にすること等、が本発明の目的である。
【課題を解決するための手段】
【０００６】
上記課題を解決するための技術的手段は、筆記芯を把持して軸筒前方へ繰出す筆記芯繰出し機構と、遠心方向からの押圧力により求心方向へ移動するように軸筒の周壁に設けられた押圧部と、軸筒内に回転可能且つ前後移動可能に設けられた回転子とを備え、前記筆記芯繰出し機構を前記回転子と連動して回転するように前記回転子の内部に設け、把持した筆記芯が前方から押されることで前記筆記芯繰出し機構が後退した際に、その後退する筆記芯繰出し機構を前記回転子に係合させて前記回転子を後方へ移動するとともにその回転子を軸筒と一体的な固定カム部に係合して回転し、前記押圧部が前記求心方向へ移動した際にも、その移動する押圧部を前記回転子に係合させて前記回転子を後方へ移動するとともにその回転子を軸筒と一体的な固定カム部に係合して回転するようにしたことを特徴とする。
【発明の効果】
【０００７】
本発明は、以上説明したように構成されているので、以下に記載されるような作用効果を奏する。
筆記芯の前端を被筆記面に押し付ける際の力と、軸筒周壁の押圧部を握る際の力との二種類の力を有効に利用して、筆記芯を回転させることができる。
したがって、長時間の筆記で手が疲れていたり手の筋力が元々弱かったり等に起因して、筆圧が比較的弱い場合でも、筆記芯を回転させ易い。
しかも、筆圧を加えたり軸筒を握ったり等、筆記時の自然な動作によって筆記芯を回転させることができる。
よって、筆記芯の前端を被筆記面に押し付ける操作のみによって筆記芯を回転させる従来技術と比較し、容易に筆記芯を回転させることができる上、筆記芯を回転させる際の操作感も良好である。
【図面の簡単な説明】
【０００８】
【図１】本発明に係るシャープペンシルの一例について、要部を切欠して示す構造図である。
【図２】図１における(II)-(II)線切断端面図であり、内部構造を省略して示している。
【図３】回転子の一例を示す半断面図である。
【図４】同シャープペンシルにおける要部断面図であり、（ａ）は押圧部に押圧力が加わっていない状態を示し、（ｂ）は押圧部に押圧力が加わった状態を示す。なお、本図においては、軸方向へ一体的に移動可能な複数の部品を同一傾斜方向のハッチングで示している。
【図５】同シャープペンシルにおける要部断面図であり、（ａ）は押圧力が加わっていない状態を示し、（ｂ）は筆記芯に後方への押圧力が加わった状態を示す。なお、本図においては、軸方向へ一体的に移動可能な複数の部品を同一傾斜方向のハッチングで示している。
【図６】第１の固定カム部、第１の回転カム部、第２の固定カム部及び第２の回転カム部の関係を示す展開図であり、（ａ）は第２の回転カム部が第２の固定カム部に完全に噛み合った状態、（ｂ）は第１の回転カム部が第１の固定カム部に摺接した状態、（ｃ）は第１の回転カム部と第１の固定カム部とが完全に噛み合った状態、（ｄ）は第２の回転カム部が第２の固定カム部に摺接した状態を示す。
【図７】弾性被覆部の他例を示す横断面図であり、軸筒内の構造を省略して示している。
【発明を実施するための形態】
【０００９】
本発明を実施するための一形態では、筆記芯を把持して軸筒前方へ繰出す筆記芯繰出し機構と、遠心方向からの押圧力により求心方向へ移動するように軸筒の周壁に設けられた押圧部と、軸筒内に回転可能且つ前後移動可能に設けられた回転子とを備え、前記筆記芯繰出し機構を前記回転子と連動して回転するように前記回転子の内部に設け、把持した筆記芯が前方から押されることで前記筆記芯繰出し機構が後退した際に、その後退する筆記芯繰出し機構を前記回転子に係合させて前記回転子を後方へ移動するとともにその回転子を軸筒と一体的な固定カム部に係合して回転し、前記押圧部が前記求心方向へ移動した際にも、その移動する押圧部を前記回転子に係合させて前記回転子を後方へ移動するとともにその回転子を軸筒と一体的な固定カム部に係合して回転するようにした。
【００１０】
この構成によれば、押圧部に指を当てて軸筒を握り筆記芯を被筆記面に押し付ければ、筆記芯を把持する筆記芯繰出し機構の後退、及び／又は、押圧部の軸筒求心方向への移動によって、回転子が後方へ移動する。そして、後方へ移動した回転子は、軸筒と一体的な固定カム部に係合することで回転する。よって、回転子の回転に連動して筆記芯繰出し機構が回転するとともに、該筆記芯繰出し機構に把持された筆記芯も回転する。
【００１１】
また、より具体的な好ましい一形態としては、筆記芯を把持して軸筒前方へ繰出す筆記芯繰出し機構と、遠心方向からの押圧力により求心方向へ移動するように軸筒の周壁に設けられた押圧部と、軸筒内に回転可能且つ前後移動可能に設けられた回転子であって、内部に該回転子の回転に連動して回転するように前記筆記芯繰出し機構を有するとともに、外部に回転カム部を有し、付勢部材によって前方へ付勢された回転子と、前方又は後方へ移動した際の前記回転子における前記回転カム部に係合して前記回転子を回転させるように軸筒内に固定された固定カム部とを備え、前記回転子は、前記求心方向へ移動した際の前記押圧部に係合されて後方へ移動するように設けられ、且つ、把持した筆記芯が前方から押されることで後退した際の筆記芯繰出し機構に係合されて後方へ移動するように設けられる。
【００１２】
また、前記回転カム部及び前記固定カム部の好ましい形態としては、前記回転子に、前記回転カム部として、第１の回転カム部と、第２の回転カム部を設け、
前記軸筒内には、前記固定カム部として、後方へ移動した際の前記回転子における第１の回転カム部に係合して前記回転子を一方向へ回転させる第１の固定カム部と、前方へ移動した際の前記回転子の第２の回転カム部に係合して前記回転子を前記一方向へ回転させる第２の固定カム部とを備える。
【００１３】
さらに具体的な好ましい形態としては、前記筆記芯繰出し機構は、前記回転子の内部で進退するように設けられた芯タンクと、該芯タンクを前記回転子に対し後方へ付勢する付勢部材と、該芯タンクの前端側に接続されるとともに筆記芯を把持可能なチャックと、該芯タンクの後端側に設けられたノック部とを備え、前記ノック部に対するノック操作により前記芯タンク及び前記チャックを前記回転子に対し進退させて筆記芯を繰出す機構である。
【００１４】
さらに、より操作感を向上するとともに当該シャープペンシルに対する把持感触を向上するためには、前記押圧部を外側から覆うようにして弾性被覆部を設ける。
【実施例】
【００１５】
以下、上記形態をより具体化した実施例について、図面に基づいて詳細に説明する。
なお、以下の説明において、「前」とは、軸筒１０の先端方向（図１によれば左方向）を意味し、「後」とは前記「前」に対する逆方向を意味する。また、「求心方向」とは、軸筒１０の径方向に沿う方向であって、かつ軸筒１０の軸心（中心）へ向かう方向を意味する。また、「遠心方向」とは、前記求心方向に対する逆方向を意味する。また、「軸筒軸方向」とは、軸筒１０の軸心（中心）に沿う方向を意味する。
【００１６】
図１は、本発明に係るシャープペンシルの一例を示す構造図である。
このシャープペンシル１は、軸筒１０と、軸筒１０内に該軸筒１０と一体的に設けられた前側固定カム部材１１及び後側固定カム部材１２と、同軸筒１０内に回転可能かつ進退可能に設けられた回転子２０と、該回転子２０に接続されたスライダー２１、芯挿通管２２及び受け部材２４等と、受け部材２４を前方へ付勢する第１の付勢部材３０と、回転子２０と一体的に回転するように設けられた筆記芯繰出し機構４０とを備える。
そして、このシャープペンシル１は、筆記芯繰出し機構４０に把持した筆記芯ｘが前方から押された場合と、軸筒１０の周壁に部分的に設けられた押圧部１０ａ１が押圧された場合とのうち、何れか一方又は双方の場合に、前記筆記芯ｘを、繰出すことなく回転させる。
【００１７】
軸筒１０は、長尺筒状の本体部１０ａと、該本体部１０ａの先端側に、ねじ止めや嵌合等の接続手段によって固定された先口部１０ｂとを具備する。
本体部１０ａは、その周壁の前端側に、周方向に所定間隔を置いて複数（図示例によれば三つ）の押圧部１０ａ１を有する。また、本体部１０ａの後端側の外周面には、クリップ１０ｃが設けられ、同本体部１０ａの最後端部には、環状の尾栓１０ｄが接続される。
なお、軸筒１０の他例としては、単一の筒状部材からなる態様や、図示例以外の複数の筒状部材を接続してなる態様とすることが可能である。
【００１８】
押圧部１０ａ１は、軸筒１０の周壁を平面視凹状（もしくはＵ字状）に切欠することで、その凹状部分の内側に形成される片持ち梁状の部分であり、その自由端側の部分を前方へ向けている。この押圧部１０ａ１は、図示例によれば、軸筒１０の周方向に等間隔を置いて三つ設けられる（図２参照）。この配置によれば、三つの押圧部１０ａ１が、それぞれ、筆記姿勢にある人差し指、中指、親指に接触するため、押圧部１０ａ１に対する押圧操作を、比較的軽い把持力でもって良好に行うことができる。
【００１９】
この押圧部１０ａ１の前端側の表面には、把持する指が滑らないように、凹凸状の滑り止め部１０ａ１１が設けられる。この滑り止め部１０ａ１１は、図示例によれば、軸筒１０に直交する方向の凸条と凹溝とを、軸筒軸方向にわたって交互に配置することで構成される。
【００２０】
また、押圧部１０ａ１の内側（軸筒内側）には、軸筒１０の本体部１０ａ内周面から軸筒求心方向へ向かって突出するように、突部１０ａ１２が設けられる。この突部１０ａ１２の後端側（図１によれば右端側）には、回転子２０に摺接させるための傾斜面が形成される。
【００２１】
また、先口部１０ｂは、先細筒状に形成される。
【００２２】
また、前側固定カム部材１１は、軸筒１０内の前端寄りに、進退不能かつ回転不能に固定された略筒状の部材である。
この前側固定カム部材１１の周壁には、複数の押圧部１０ａ１をそれぞれ挿通させる複数（図示例によれば三つ）の挿通孔１１ａ（図４参照）が設けられる。また、前側固定カム部材１１内周面における挿通孔１１ａよりも前側には、前方へ移動した際の回転子２０の第２の回転カム部２０ａ１に係合して回転子２０を回転させる第２の固定カム部１１ｂが形成される。
【００２３】
第２の固定カム部１１ｂは、前側固定カム部材１１の内周面の一部を後方へ拡径することで形成された段部に配置され、軸筒周方向の全周にわたって等間隔に配設された後方向きの凹凸部であり、図６の展開図に例示するように、断面鋸刃状に形成される。
【００２４】
また、後側固定カム部材１２は、前側固定カム部材１１の内周面の後端側に挿入されて重ね合わせられるとともに、進退不能かつ回転不能に固定された略筒状の部材である。
この後側固定カム部材１２の前端面には、後方へ移動した際の回転子２０の第１の回転カム部２０ｂ１（図３及び図４参照）に係合して回転子２０を回転させる第１の固定カム部１２ａ（図４参照）が形成される。
【００２５】
第１の固定カム部１２ａは、軸筒周方向の全周にわたって等間隔に設けられた前方向きの凹凸部であり、この各凹凸部は、図６の展開図に例示するように、第２の固定カム部１１ｂを構成する各凹凸部と線対称となる断面鋸刃状に形成される。
この第１の固定カム部１２ａは、図６（ａ）に示すように、第２の固定カム部１１ｂに対し、周方向に所定のピッチｐずらすようにして設けられる。
【００２６】
また、後側固定カム部材１２の前端側の内周面には、回転子２０の外周面に摺接又は近接するように、環状突部１２ｂ（図４及び図５参照）が形成される。
この環状突部１２ｂは、回転子２０外周面との接触面積を局部的に狭くすることで、後側固定カム部材１２内周面と回転子２０外周面とを安定的に接触させ、回転子２０の回転運動及び進退運動をスムーズにする。
【００２７】
また、回転子２０は、軸筒１０内に回転可能且つ前後移動可能に設けられ、内部に該回転子２０と連動して回転するように筆記芯繰出し機構４０を支持するとともに、後退した際の筆記芯繰出し機構４０に押されて後方移動するように設けられている。
この回転子２０は、外部に第２の回転カム部２０ａ１を形成した前側環状突起２０ａ、及び第１の回転カム部２０ｂ１を形成した後側環状突起２０ｂを有する。
そして、この回転子２０は、軸筒求心方向へ撓んだ押圧部１０ａ１に摺接された場合、又は軸筒後方へ移動した筆記芯繰出し機構４０に押された場合に、後方へ移動し、第１の付勢部材３０の付勢力によって前方へ移動する。
【００２８】
より詳細に説明すれば、この回転子２０は、図３に示すように、筒状の部材であり、その外周面における前後方向の中央寄りに、前側環状突起２０ａと後側環状突起２０ｂを有する。
【００２９】
前側環状突起２０ａは、その前端部に第２の回転カム部２０ａ１を有する。
この第２の回転カム部２０ａ１は、軸筒周方向の全周にわたって等間隔に設けられた前方向きの凹凸部であり、図６の展開図に例示するように、第２の固定カム部１１ｂに対し嵌り合う、断面鋸刃状に形成される。
【００３０】
また、後側環状突起２０ｂは、その後端面に、第１の回転カム部２０ｂ１を有するとともに、その前端側の角部分に傾斜面２０ｂ２を有する（図３参照）。
第１の回転カム部２０ｂ１は、軸筒周方向の全周にわたって等間隔に設けられた後方向きの凹凸部であり、図６の展開図に例示するように、第１の固定カム部１２ａに対し嵌り合う断面鋸刃状に形成される。この第１の回転カム部２０ｂ１は、図示例によれば、第２の回転カム部２０ａ１と線対称に形成される。
【００３１】
また、傾斜面２０ｂ２は、複数の押圧部１０ａ１における各突部１０ａ１２に摺接するように設けられたＣ面取り状の傾斜面である。
なお、図示例によれば、押圧部１０ａ１の突部１０ａ１２と、回転子２０における後側環状突起２０ｂとの双方に傾斜面を設け、これら傾斜面を摺接させるようにしているが、他例としては、何れか一方の傾斜面を角部に置換し、該角部を他方の傾斜面に摺接させる構成とすることも可能である。
【００３２】
また、回転子２０内周面の前端側には、前方へ向かって階段状に拡径されたチャックリング装着部２０ｃ（図３参照）が設けられる。このチャックリング装着部２０ｃは、段付環状のチャックリング４４（図４及び図５参照）に遊嵌して、該チャックリング４４の前後方向へのスライドを可能にするとともに、後方へスライドした際のチャックリング４４に当接して、該チャックリング４４の後方へのスライドを規制する。
【００３３】
また、回転子２０内周面には、チャックリング装着部２０ｃの後側に間隔を置いて、後方へ向かって階段状に拡径されたスプリング装着部２０ｄ（図３参照）が設けられる。このスプリング装着部２０ｄは、筆記芯繰出し機構４０を構成する第２の付勢部材４２を挿入するとともに、該第２の付勢部材の前端を受ける。
【００３４】
そして、上記構成の回転子２０の前端側には、スライダー２１が接続される。
スライダー２１は、前方へ向かって階段状に縮径された段付円筒状の部材であり、その外周面の角部分２１ａ１を、先口部１０ｂ内面（傾斜面）に対し、後方へ離間している。
また、スライダー２１の内周面には、後方へ向かって階段状に拡径することで形成された段部２１ｂが設けられる。この段部２１ｂは、前方へスライドした際のチャックリング４４を受けて、該チャックリング４４の前方へのスライドを規制する。
【００３５】
そして、前記スライダー２１の前端側には、芯挿通管２２が接続され、該芯挿通管２２よりも後側の内部には、後述するブレーカ４５が嵌合される。
芯挿通管２２は、スライダー２１から前方へ突出して、筆記芯ｘを繰出し可能に挿通する管体であり、スライダー２１に対し進退不能かつ回転不能に固定される。
【００３６】
また、上記構成の回転子２０の後端側には、受け部材２４が接続される。
この受け部材２４は、筆記芯繰出し機構４０を構成する芯タンクを遊挿する略円筒状の部材であり、第１の付勢部材３０の前端部を受けている。なお、他例としては、受け部材２４を省いて、回転子２０の後端部により直接的に第１の付勢部材３０前端部を受けるようにしてもよい。
【００３７】
第１の付勢部材３０は、圧縮コイルスプリングであり、その後端部が軸筒１０内の図示しない不動部位（例えば、軸筒１０内面に形成された段部や、軸筒１０内に固定された筒状部材の前端部等）によって受けられている。そして、この第１の付勢部材３０は、受け部材２４、及び該受け部材２４と一体的な回転子２０、スライダー２１、芯挿通管２２等を前方へ付勢している。
【００３８】
また、筆記芯繰出し機構４０は、回転子２０及び受け部材２４の内部で進退するように設けられた芯タンク４１と、芯タンク４１を回転子２０に対し後方へ付勢する第２の付勢部材４２と、該芯タンク４１の前端側に接続されるとともに筆記芯ｘを把持可能なチャック４３と、該チャック４３の前端側に環状に装着されるチャックリング４４と、チャック４３の前方側に間隔を置いて固定されたブレーカ４５と、芯タンク４１の後端側に接続されたスペーサ４６、栓部材４７、消しゴム４８及びノック体４９とを備え、ノック体４９に対するノック操作により芯タンク４１及びチャック４３を回転子２０に対し進退させて筆記芯ｘを繰出す機構である（図１及び図５参照）。
【００３９】
芯タンク４１は、長尺筒状の部材であり、回転子２０及び受け部材２４内に進退可能に挿通され、第２の付勢部材４２によって、回転子２０に対し後方へ付勢されている。この芯タンク４１の後端部は、円筒状のスペーサ４６及び栓部材４７を介して、消しゴム４８が着脱可能に接続される。さらに、栓部材４７の後端側には、消しゴム４８を覆って軸筒１０方向へ突出するように、ノック体４９が着脱可能に接続されている。
【００４０】
また、チャック４３は、弾性的に撓むことが可能な合成樹脂材料又は金属材料から形成され、筆記芯ｘの周囲に位置するように同芯状に配置された複数（例えば２〜４程度）の爪部を備え、これら爪部を軸筒求心方向へ撓ませることで筆記芯ｘを回転不能且つ後退不能に把持し、これら爪部を弾性的に復元することで筆記芯ｘを解放する。
このチャック４３は、その基端側部分（図示の右端部分）が、芯タンク４１の前端側内周面に固定されている。
【００４１】
また、チャックリング４４は、段付筒状の部材であり、回転子２０の先端側に所定量進退するように設けられる。
このチャックリング４４は、チャック４３の外周に嵌り合って、チャック４３が筆記芯ｘを回転不能且つ後退不能に把持した状態を維持し（図４及び図５参照）、チャック４３と共に前進した際には、スライダー２１内面（段部２１ｂ）に当接して、チャック４３から後方へ外される（図示せず）。
【００４２】
ブレーカ４５は、ゴムやエラストマー樹脂等の弾性体からなる円筒状部材であり、スライダー２１内に進退不能に嵌合される。そして、このブレーカ４５は、挿通される筆記芯ｘを弾性的に把持する。
【００４３】
また、第２の付勢部材４２は、図示例によれば圧縮コイルスプリングであり、回転子２０に対し、芯タンク４１及びチャック４３等を後方へ付勢している。
【００４４】
また、図１及び図２中の符号５０は、軸筒１０周壁の押圧部１０ａ１を外側から覆う弾性被覆部であり、必要に応じて設けられる。
この弾性被覆部５０は、エラストマー樹脂等の弾性を有する合成樹脂材料の被膜であり、軸筒１０の本体部１０ａを成形する際に同時成形（二色成形）される。
図示例の弾性被覆部５０は、押圧部１０ａ１を含む軸筒１０前側の把持部位を、全周にわたって略筒状に覆うように設けられる。
この構成によれば、押圧部１０ａ１を押圧する際の把持感触及び操作感を向上することができるのは勿論のこと、押圧部１０ａ１の隙間から軸筒１０内部へ異物等が侵入するのを防ぐこともできる。
【００４５】
次に、上記構成のシャープペンシル１について、その特徴的な作用効果を詳細に説明する。図４及び図５は、弾性被覆部５０を省略した状態のシャープペンシル１の要部を示す。
【００４６】
先ず、図４（ａ）に示すように、シャープペンシル１に対し外力が加えられていない状態では、回転子２０は、第１の付勢部材３０の弾発力により前方へ付勢されるとともに、後側環状突起２０ｂを、押圧部１０ａ１の突部１０ａ１２に当接又は近接させて静止している。また、回転子２０内の筆記芯繰出し機構４０は、チャック４３によって筆記芯ｘを回転不能且つ後退不能に把持した状態で静止している。
この静止状態では、図６（ａ）に示すように、第２の回転カム部２０ａ１と第２の固定カム部１１ｂとが噛み合った状態であるため、回転子２０の及び筆記芯ｘが回転することはない。
【００４７】
また、押圧部１０ａ１に対し軸筒求心方向への外力が加えられた場合、及び／又は、筆記芯ｘの前端に対し後方への外力が加えられた場合には、回転子２０が後方へ移動する。以下、このときの動作を、前記二つの場合に分けて詳細に説明する。
【００４８】
先ず、押圧部１０ａ１に対し軸筒求心方向への外力が加えられた場合には、図４（ｂ）に示すように、押圧部１０ａ１が軸筒求心方向側へ撓み、該押圧部１０ａ１内側の突部１０ａ１２が、回転子２０における後側環状突起２０ｂの傾斜面２０ｂ２（図３参照）に摺接し、回転子２０を後方へ移動させる。
【００４９】
また、筆記芯ｘの前端に対し後方への外力が加えられた場合には、図５（ｂ）に示すように、筆記芯ｘ、及び該筆記芯ｘを把持している筆記芯繰出し機構４０が後退し、この後退する筆記芯繰出し機構４０に係合されて、回転子２０も後方へ移動する。より詳細には、筆記芯ｘに加わる後方への力が、筆記芯ｘを後退不能に把持しているチャック４３に伝達され、さらに、チャック４３の基端側から芯タンク４１へ、チャック４３に嵌り合うチャックリング４４から回転子２０へ伝達されて、回転子２０が後方へ押し動かされる。
【００５０】
そして、前記のようにして後方へ移動した回転子２０は、第１の回転カム部２０ｂ１を第１の固定カム部１２ａに噛み合わせることで、軸筒１０周方向の一方へ所定量だけ回転する（図６（ｂ）（ｃ）参照）。
【００５１】
また、押圧部１０ａ１に対する押圧力が解除され、且つ、筆記芯ｘ前端に対する押圧力も解除されると、回転子２０が第１の付勢部材３０の付勢力によって前方へ移動する。
すると、回転子２０は、図６（ｄ）に示すように、第１の回転カム部２０ｂ１を第１の固定カム部１２ａから離間し、第２の回転カム部２０ａ１を第２の固定カム部１１ｂに噛み合わせることで、さらに前記一方へ所定量だけ回転する。
【００５２】
したがって、前述した回転子２０の回転に伴い、回転子２０内の筆記芯繰出し機構４０、及び該筆記芯繰出し機構４０に把持された筆記芯ｘも所定量だけ回転する。より詳細に説明すれば、回転子２０が回転すると、その回転力がチャックリング４４及びチャック４３を介して筆記芯ｘに伝達され、筆記芯ｘが軸筒中心部を軸心にして回転する。
よって、筆記芯ｘ先端の偏減りを防止することができる。
【００５３】
上記のようにして、筆記芯ｘを回転させる操作は、手の３本の指でシャープペンシル１を把持した通常の筆記姿勢において、軸筒１０を握る指に力をいれた際や、軸筒１０を握り筆圧をかけた際等に自然に行われるため、筆記者が意識して操作を行わなくても筆記芯ｘを容易に回転させることができ、その操作感が良好である。
しかも、前記回転動作のために、押圧部１０ａ１に加わる押圧力と、筆記芯ｘ前端に加わる押圧力との二種類の力を有効に用いているため、筆記芯ｘ前端に加わる押圧力のみを用いる従来技術等と比較し、より確実な動作が期待できる。
したがって、例えば、長時間の筆記で手が疲れていたり手の筋力が元々弱かったり等に起因して、筆圧が比較的弱い場合等でも、筆記芯を回転させ易い。
【００５４】
また、詳細な説明は省略するが、筆記芯ｘを繰出す場合には、周知のシャープペンシルと同様に、軸筒１０後端のノック体４９に対するノック操作により芯タンク４１を進退させれば、芯タンク４１前端のチャック４３の進退動作により筆記芯ｘが繰り出される。
【００５５】
なお、上記シャープペンシル１によれば、特に好ましい態様として弾性被覆部５０を軸筒１０の全周に設けるようにしたが（図２参照）、他例としては、前記弾性被覆部５０を、図７に示す複数の弾性被覆部５０’に置換してもよい。この弾性被覆部５０’は、各押圧部１０ａ１を覆うようにして、軸筒１０の外周面に部分的に設けられる。
また、さらに他例としては、押圧部１０ａ１を含むようにして、軸筒１０の略全長にわたる筒状の弾性被覆部を設けた態様や、軸筒１０とは別体に製造された弾性被覆部を後工程で軸筒１０に装着した態様、弾性被覆部を省いた態様等とすることも可能である。
【００５６】
また、上記シャープペンシル１によれば、押圧部１０ａ１を軸筒１０の周壁に片持ち梁状に構成したが、他例としては、軸筒の周壁の一部を弾性材料（例えば、エラストマー樹脂や、ゴム材料等）からなる押圧部とし、この押圧部が軸筒１０内へ変形して回転子２０に摺接し該回転子２０を前進させる構造とすることも可能である。
【００５７】
また、上記シャープペンシル１によれば、軸筒１０とは別体の前側固定カム部材１１及び後側固定カム部材１２を設け、これら前側固定カム部材１１及び後側固定カム部材１２に、それぞれ第２の固定カム部１１ｂ及び第１の固定カム部１２ａを設けるようにしたが、他例としては、軸筒１０に対し、直接的に第１の固定カム部及び第２の固定カム部の一方又は双方を加工した構造とすることも可能である。
【００５８】
また、上記シャープペンシル１によれば、回転子２０が前進した時に回転し、さらに後退した時にも回転するようにしたが、他例としては、回転子２０が前進した時のみ回転する態様や、回転子２０が後退した時のみ回転する態様等とすることも可能である。すなわち、この場合には、第１の回転カム部２０ｂ１及び第１の固定カム部１２ａと、第２の回転カム部２０ａ１及び第２の固定カム部１１ｂとのうち、その一方を省いた構成とすればよい。
【００５９】
また、上記シャープペンシル１では、軸筒後端部に対するノック操作により筆記芯ｘを繰出す筆記芯繰出し機構４０を具備したが、他例としては、前記筆記芯繰出し機構４０に置換して、軸筒後端部に対する回転操作により筆記芯ｘを繰出す筆記芯繰出し機構（図示せず）、軸筒を軸方向へ振る操作により筆記芯ｘを繰出す筆記芯繰出し機構（図示せず）、又は軸筒を径方向へ振る操作により筆記芯ｘを繰出す筆記芯繰出し機構（図示せず）を具備した構成とすることも可能である。
【符号の説明】
【００６０】
１：シャープペンシル                  １０：軸筒
１０ａ１：押圧部                      １０ａ１２：突部
１１：前側固定カム部材                １１ｂ：第２の固定カム部
１２：後側固定カム部材                １２ａ：第１の固定カム部
２０：回転子                          ２０ａ１：第２の回転カム部
２０ｂ１：第１の回転カム部            ３０：第１の付勢部材
４０：筆記芯繰出し機構                ４３：チャック
５０，５０’：弾性被覆部                ｘ：筆記芯
【図１】
0005711048.tif 000002
【図２】
0005711048.tif 000003
【図３】
0005711048.tif 000004
【図４】
0005711048.tif 000005
【図５】
0005711048.tif 000006
【図６】
0005711048.tif 000007
【図７】
0005711048.tif 000008